【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  画像送信元から送信された電子メールを受信するメール受信手段と、
前記メール受信手段により受信した電子メールから画像データの所在を示す情報を抽出する抽出手段と、
前記抽出手段により抽出した画像データの所在を示す情報に基づき、前記画像送信元から、前記画像データより派生した表示用の画像データを受信するデータ受信手段と、
前記データ受信手段により受信した前記表示用の画像データを記憶する記憶手段と、
前記記憶手段に記憶された前記表示用の画像データの所在を示す情報を、画像送信先に電子メールで送信する通知手段とを有することを特徴とするデータ通信装置。
【請求項２】  前記通知手段により通知した前記画像送信先からの指示を認識する認識手段と、
前記認識手段で認識した指示が画像印刷指示である場合に、前記画像送信元から印刷用の画像データを受信する印刷データ受信手段と、
前記印刷データ受信手段により受信した前記印刷用の画像データを印刷処理する印刷手段とを更に有することを特徴とする請求項１に記載のデータ通信装置。
【請求項３】  画像通信を担当する画像通信エージェントと電子メールの送受信を担当する電子メールエージェントとを有するデータ通信装置であって、
前記画像通信エージェントが、
画像送信元から送信された電子メールを受信するメール受信手段と、
前記メール受信手段により受信した電子メールから画像データの所在を示す情報を抽出する抽出手段と、
前記抽出手段により抽出した情報に基づき、前記画像データより派生した表示用の画像データを受信するデータ受信手段と、
前記データ受信手段により受信した前記表示用の画像データを記憶する記憶手段と、
前記メール受信手段により受信した電子メールに含まれる前記画像データの所在を示す情報を、前記記憶手段に記憶された前記表示用の画像データの所在を示す情報に変換する所在情報変換手段と、
前記変換手段により変換された電子メールの受信を、前記電子メールエージェントに通知する通知手段とを有することを特徴とするデータ通信装置。
【請求項４】  前記記憶手段に記憶された表示用の画像データの有する第１の形式を、前記通知手段により通知した画像送信先からの要求に適した第２の形式に変換するデータ形式変換手段を更に有することを特徴とする請求項１に記載のデータ通信装置。
【請求項５】  前記データ受信手段により受信した前記表示用の画像データの解像度に関するデータに基づき、受信した前記表示用の画像データに対して解像度変換を施す解像度変換手段と、
前記表示用の画像データの解像度に関するデータ及び前記解像度変換された画像データをストリーム部分に解像度別に格納する、ＦｌａｓｈＰｉｘＴＭファイルフォーマットのファイルを生成するファイル生成手段とを更に有することを特徴とする請求項１に記載のデータ通信装置。
【請求項６】  少なくとも、画像送信機能を有するデータ通信装置と、画像受信機能を有するデータ通信装置と、電子メール受信機能を有する端末装置とが、インターネットを介して接続されたデータ通信システムにおいて、
前記画像受信機能を有するデータ通信装置が、
前記画像送信機能を有するデータ通信装置から送信された電子メールを受信するメール受信手段と、
前記メール受信手段により受信した電子メールから画像データの所在を示す情報を抽出する抽出手段と、
前記抽出手段により抽出した画像データの所在を示す情報に基づき、前記画像送信機能を有するデータ通信装置から、前記画像データより派生した表示用のデータを受信するデータ受信手段と、
前記データ受信手段により受信した前記表示用の画像データを記憶する記憶手段と、
前記記憶手段に記憶された前記表示用の画像データの所在を示す情報を、電子メールで前記端末装置に送信する通知手段とを有することを特徴とするデータ通信システム。
【請求項７】  前記画像受信機能を有するデータ通信装置が、
前記通知手段により通知した前記端末装置からの指示を認識する認識手段と、
前記認識手段で認識した指示が画像印刷指示である場合に、前記画像送信機能を有するデータ通信装置から印刷用の画像データを受信する印刷データ受信手段と、
前記印刷データ受信手段により受信した印刷用の画像データを印刷処理する印刷手段とを更に有することを特徴とする請求項６に記載のデータ通信システム。
【請求項８】  少なくとも、画像送信機能を有するデータ通信装置と、画像受信機能を有するデータ通信装置と、電子メール受信機能を有する端末装置とが、インターネットを介して接続されたデータ通信システムにおいて、
画像通信を担当する画像通信エージェントと電子メールの送受信を担当する電子メールエージェントとを有し、
該画像通信エージェントが、
前記画像送信機能を有するデータ通信装置から送信された電子メールを受信するメール受信手段と、
前記メール受信手段により受信した電子メールから画像データの所在を示す情報を抽出する抽出手段と、
前記抽出手段により抽出した画像データの所在を示す情報に基づき、前記画像データより派生した表示用の画像データを受信するデータ受信手段と、
前記データ受信手段により受信した前記表示用の画像データを記憶する記憶手段と、
前記メール受信手段により受信した電子メールに含まれる前記画像データの所在を示す情報を、前記記憶手段に記憶された前記表示用の画像データの所在を示す情報に変換する所在情報変換手段と、
前記変換手段により変換された電子メールの受信を、前記電子メールエージェントに通知する通知手段とを有することを特徴とするデータ通信システム。
【請求項９】  前記記憶手段に記憶された表示用の画像データの有する第１の形式を、前記通知手段により通知した前記端末装置からの要求に適した第２の形式に変換するデータ形式変換手段を更に有することを特徴とする請求項６に記載のデータ通信システム。
【請求項１０】  前記データ受信手段により受信した前記表示用の画像データの解像度に関するデータに基づき、受信した前記表示用の画像データに対して解像度変換を施す解像度変換手段と、
前記表示用の画像データの解像度に関するデータ及び前記解像度変換された画像データをストリーム部分に解像度別に格納する、ＦｌａｓｈＰｉｘＴＭファイルフォーマットのファイルを生成するファイル生成手段とを更に有することを特徴とする請求項６に記載のデータ通信システム。
【請求項１１】  少なくとも、画像送信機能を有するデータ通信装置と、画像受信機能を有するデータ通信装置と、電子メール受信機能を有する端末装置とが、インターネットを介して接続されたデータ通信システムにおけるデータ通信方法であって、
前記画像送信機能を有するデータ通信装置が、
画像データの所在を示す情報を含む電子メールをインターネットを介して前記端末装置に送信した場合に、
前記画像受信機能を有するデータ通信装置が、
該電子メールを代行受信し、
前記代行受信した電子メールから抽出した画像データの所在を示す情報に基づき、前記画像データより派生した表示用の画像データを受信して記憶し、
前記記憶された前記表示用の画像データの所在を示す情報を、電子メールで前記端末装置に送信することを特徴とするデータ通信方法。
【請求項１２】  前記端末装置からの指示があると、
前記画像送信機能を有するデータ通信装置が、
前記端末装置からの指示を認識して、認識した指示が画像印刷指示である場合に、前記画像送信機能を有するデータ通信装置から印刷用の画像データを受信し、
前記受信した印刷用の画像データを印刷処理することを特徴とする請求項１１に記載のデータ通信方法。
【請求項１３】  少なくとも、画像送信機能を有するデータ通信装置と、画像受信機能を有するデータ通信装置と、電子メール受信機能を有する端末装置とが、インターネットを介して接続されたデータ通信システムにおけるデータ通信方法であって、当該データ通信システムが画像通信を担当する画像通信エージェントと電子メールの送受信を担当する電子メールエージェントとを有し、
前記画像送信機能を有するデータ通信装置が、
画像データの所在を示す情報を含む電子メールをインターネットを介して前記端末装置に送信した場合に、
前記画像通信エージェントが、
該電子メールを代行受信し、
前記代行受信した電子メールから抽出した画像データの所在を示す情報に基づき、前記画像データより派生した表示用の画像データを受信して記憶し、
前記受信した電子メールに含まれる画像データの所在を示す情報を、前記記憶された表示用の画像データの所在を示す情報に変換して、
変換された電子メールの受信を、前記電子メールエージェントに通知することを特徴とするデータ通信方法。
【請求項１４】  前記画像受信機能を有するデータ通信装置が、更に、
前記記憶された表示用の画像データの有する第１の形式を、前記端末装置からの要求に適した第２の形式に変換することを特徴とする請求項１１に記載のデータ通信方法。
【請求項１５】  前記画像受信機能を有するデータ通信装置が、更に、
受信した前記表示用の画像データの解像度に関するデータに基づき、受信した前記表示用の画像データに対して解像度変換を施し、
前記表示用の画像データの解像度に関するデータ及び前記解像度変換された画像データをストリーム部分に解像度別に格納する、ＦｌａｓｈＰｉｘＴＭファイルフォーマットのファイルを生成することを特徴とする請求項１１に記載のデータ通信方法。
【請求項１６】  少なくとも、画像送信機能を有するデータ通信装置と、画像受信機能を有するデータ通信装置と、電子メール受信機能を有する端末装置とが、インターネットを介して接続されたデータ通信システムにおける、前記画像受信機能を有するデータ通信装置を制御するためのコンピュータプログラムを記憶したコンピュータ読み取り可能な記憶媒体であって、
前記画像送信機能を有するデータ通信装置から前記端末装置に送信された電子メールを代行受信する手段と、
前記代行受信した電子メールから抽出した画像データの所在を示す情報に基づき、前記画像送信機能を有するデータ通信装置から前記画像データより派生した表示用の画像データを受信して記憶する手段と、
前記記憶された表示用の画像データの所在を示す情報を、電子メールで前記端末装置に送信する手段として、コンピュータを機能させるためのコンピュータプログラムを記憶したコンピュータ読み取り可能な記憶媒体。
【請求項１７】  前記端末装置からの指示を認識して、認識した指示が画像印刷指示である場合に、前記画像送信機能を有するデータ通信装置から印刷用の画像データを受信する手段と、
前記受信した印刷用の画像を印刷処理する手段として、更にコンピュータを機能させるためのコンピュータプログラムを記憶した請求項１６に記載のコンピュータ読み取り可能な記憶媒体。
【請求項１８】  少なくとも、画像送信機能を有するデータ通信装置と、画像受信機能を有するデータ通信装置と、電子メール受信機能を有する端末装置とが、インターネットを介して接続されたデータ通信システムにおける、前記端末装置を制御するためのコンピュータプログラムを記憶したコンピュータ読み取り可能な記憶媒体であって、前記コンピュータプログラムが、画像通信を担当する画像通信エージェントを実現するためのコンピュータプログラムと電子メールの送受信を担当する電子メールエージェントを実現するためのコンピュータプログラムとを有し、
前記画像通信エージェントを実現するためのコンピュータプログラムとして、
前記画像送信機能を有するデータ通信装置が前記電子メールエージェントに送信した電子メールを代行受信する手段と、
前記代行受信した電子メールから抽出した画像データの所在を示す情報に基づき、前記画像データより派生した表示用の画像データを受信して記憶する手段と、
前記受信した電子メールに含まれる画像データの所在を示す情報を、前記記憶された表示用の画像データの所在を示す情報に変換する手段と、
変換された電子メールの受信を前記電子メールエージェントに通知する手段としてコンピュータを機能させるためのコンピュータプログラムを記憶したコンピュータ読み取り可能な記憶媒体。
【請求項１９】  前記記憶された表示用の画像データの有する第１の形式を、前記端末装置からの要求に適した第２の形式に変換する手段として、更にコンピュータを機能させるためのコンピュータプログラムを記憶した請求項１６に記載のコンピュータ読み取り可能な記憶媒体。
【請求項２０】  前記受信した前記表示用の画像データの解像度に関するデータに基づき、受信した前記表示用の画像データに対して解像度変換を施す手段と、
前記表示用の画像データの解像度に関するデータ及び前記解像度変換された画像データをストリーム部分に解像度別に格納する、ＦｌａｓｈＰｉｘＴＭファイルフォーマットのファイルを生成する手段として、更にコンピュータを機能させるためのコンピュータプログラムを記憶した請求項１６に記載のコンピュータ読み取り可能な記憶媒体。
【手続補正２】
【補正対象書類名】明細書
【補正対象項目名】００１７
【補正方法】変更
【補正の内容】
【００１７】
【課題を解決するための手段】
上記目的を達成するために、本発明のデータ通信装置は、画像送信元から送信された電子メールを受信するメール受信手段と、前記メール受信手段により受信した電子メールから画像データの所在を示す情報を抽出する抽出手段と、前記抽出手段により抽出した画像データの所在を示す情報に基づき、前記画像送信元から、前記画像データより派生した表示用の画像データを受信するデータ受信手段と、前記データ受信手段により受信した前記表示用の画像データを記憶する記憶手段と、前記記憶手段に記憶された前記表示用の画像データの所在を示す情報を、画像送信先に電子メールで送信する通知手段とを有することを特徴とする。
【手続補正３】
【補正対象書類名】明細書
【補正対象項目名】００１８
【補正方法】変更
【補正の内容】
【００１８】
ここで、前記通知手段により通知した前記画像送信先からの指示を認識する認識手段と、前記認識手段で認識した指示が画像印刷指示である場合に、前記画像送信元から印刷用の画像データを受信する印刷データ受信手段と、前記印刷データ受信手段により受信した前記印刷用の画像データを印刷処理する印刷手段とを更に有する。
【手続補正４】
【補正対象書類名】明細書
【補正対象項目名】００１９
【補正方法】変更
【補正の内容】
【００１９】
又、本発明のデータ通信装置は、画像通信を担当する画像通信エージェントと電子メールの送受信を担当する電子メールエージェントとを有するデータ通信装置であって、前記画像通信エージェントが、画像送信元から送信された電子メールを受信するメール受信手段と、前記メール受信手段により受信した電子メールから画像データの所在を示す情報を抽出する抽出手段と、前記抽出手段により抽出した情報に基づき、前記画像データより派生した表示用の画像データを受信するデータ受信手段と、前記データ受信手段により受信した前記表示用の画像データを記憶する記憶手段と、前記メール受信手段により受信した電子メールに含まれる前記画像データの所在を示す情報を、前記記憶手段に記憶された前記表示用の画像データの所在を示す情報に変換する所在情報変換手段と、前記変換手段により変換された電子メールの受信を、前記電子メールエージェントに通知する通知手段とを有することを特徴とする。
【手続補正５】
【補正対象書類名】明細書
【補正対象項目名】００２０
【補正方法】変更
【補正の内容】
【００２０】
ここで、前記記憶手段に記憶された表示用の画像データの有する第１の形式を、前記通知手段により通知した画像送信先からの要求に適した第２の形式に変換するデータ形式変換手段を更に有する。また、前記データ受信手段により受信した前記表示用の画像データの解像度に関するデータに基づき、受信した前記表示用の画像データに対して解像度変換を施す解像度変換手段と、前記表示用の画像データの解像度に関するデータ及び前記解像度変換された画像データをストリーム部分に解像度別に格納する、ＦｌａｓｈＰｉｘＴＭファイルフォーマットのファイルを生成するファイル生成手段とを更に有する。